(57)【要約】【課題】  全体的に厚肉に形成すること無く、剛性を高めることができるチェストを提供する。【解決手段】  チェスト本体１１に引き出し自在に収容される引出１２を、矩形容器状の引出本体３１と、引出本体３１の前面部分に取り付けられる前板３２とで構成し、前板３２を、引出本体３１より硬質の部材で形成する。すなわち、引出本体３１をＰＰで形成し、前板３２をＡＢＳ樹脂で形成する。前板３２の周縁部にフランジ４１を形成するが、当該前板３２の裏面４２には、リブ等の突出物を一切形成しない。【選択図】        図６
2008029875.tif 000002
【特許請求の範囲】
【請求項１】
チェスト本体に引き出し自在に収容される引出が、容器状の引出本体と、該引出本体の前面に設けられた前板とからなるチェストにおいて、
前記引出本体と前板とを共に樹脂で成形し、前記前板を、前記引出本体より硬質の部材で構成したことを特徴とするチェスト。
【請求項２】
チェスト本体に引き出し自在に収容される引出が、容器状の引出本体と、該引出本体の前面に設けられた前板とからなるチェストにおいて、
前記引出本体と前板とを共に樹脂で成形し、前記前板を、前記引出本体より硬質の部材で構成するとともに、前記前板の裏面にリブを設けない構成としたことを特徴とするチェスト。
【請求項３】
チェスト本体に引き出し自在に収容される引出が、容器状の引出本体と、該引出本体の前面に設けられた前板とからなるチェストにおいて、
前記引出本体と前板とを共に樹脂で成形し、前記前板を、前記引出本体より硬質の部材で構成するとともに、前記前板の周縁部に裏面側に突出するフランジを形成したことを特徴とするチェスト。
【請求項４】
チェスト本体に引き出し自在に収容される引出が、容器状の引出本体と、該引出本体の前面に設けられた前板とからなるチェストにおいて、
前記引出本体と前板とを共に樹脂で成形し、前記前板を、前記引出本体より硬質の部材で構成するとともに、前記前板の周縁部に裏面側に突出するフランジを形成し、かつ、前記前板の裏面にリブを設けない構成としたことを特徴とするチェスト。
【発明の詳細な説明】
【技術分野】
【０００１】
本発明は、衣類や小物などを収容するチェストに関する。
【背景技術】
【０００２】
従来、衣類や小物などを収納する際には、チェストが用いられていた。
【０００３】
このチェストは、チェスト本体と、該チェスト本体に引き出し自在に収容される引出とによって構成されている。
【０００４】
この引出は、容器状に形成された引出本体と、該引出本体の前面に設けられた前板とによって構成されていた。
【発明の開示】
【発明が解決しようとする課題】
【０００５】
しかしながら、このようなチェストにおいては、引出を構成する引出本体と前板とが同材質で形成されており、剛性を高めるためには、全体的に肉厚に形成しなかればならなかった。
【０００６】
本発明は、このような従来の課題に鑑みてなされたものであり、全体的に厚肉に形成すること無く、剛性を高めることができるチェストを提供することを目的とするものである。
【課題を解決するための手段】
【０００７】
前記課題を解決するために請求項１記載の発明に係るチェストにあっては、チェスト本体に引き出し自在に収容される引出が、容器状の引出本体と、該引出本体の前面に設けられた前板とからなるチェストにおいて、前記引出本体と前板とを共に樹脂で成形し、前記前板を、前記引出本体より硬質の部材で構成したことを特徴とする。
【０００８】
すなわち、容器状の引出本体の前面には、該引出本体より硬質の部材からなる前板が設けられる。
【０００９】
このため、引出本体及び前板からなる引出を、全体的に肉厚に形成すること無く、剛性が高められる。
【００１０】
そして、硬質の部材で前板を形成することによって、引出の前面部分に光沢を持たせることができる。
【００１１】
また、請求項２記載の発明に係るチェストにあっては、チェスト本体に引き出し自在に収容される引出が、容器状の引出本体と、該引出本体の前面に設けられた前板とからなるチェストにおいて、前記引出本体と前板とを共に樹脂で成形し、前記前板を、前記引出本体より硬質の部材で構成するとともに、前記前板の裏面にリブを設けない構成としたことを特徴とする。
【００１２】
これにより、樹脂成型時のひけの形成が防止される。
【００１３】
また、請求項３記載の発明に係るチェストにあっては、チェスト本体に引き出し自在に収容される引出が、容器状の引出本体と、該引出本体の前面に設けられた前板とからなるチェストにおいて、前記引出本体と前板とを共に樹脂で成形し、前記前板を、前記引出本体より硬質の部材で構成するとともに、前記前板の周縁部に裏面側に突出するフランジを形成したことを特徴とする。
【００１４】
また、請求項４記載の発明に係るチェストにあっては、チェスト本体に引き出し自在に収容される引出が、容器状の引出本体と、該引出本体の前面に設けられた前板とからなるチェストにおいて、前記引出本体と前板とを共に樹脂で成形し、前記前板を、前記引出本体より硬質の部材で構成するとともに、前記前板の周縁部に裏面側に突出するフランジを形成し、かつ、前記前板の裏面にリブを設けない構成としたことを特徴とする。
【発明の効果】
【００１５】
本発明に係るチェストによれば、容器状の引出本体の前面に、該引出本体より硬質の部材からなる前板を設けることによって、引出本体及び前板からなる引出を、全体的に肉厚に形成すること無く、剛性を高めることができる。これにより、低コスト化を図ることができる。
【００１６】
また、前記引出本体の少なくとも一辺に前記前板を固定することで、前記引出本体に生じた歪みを補正することができる。
【００１７】
そして、硬質の部材で前記前板を形成することによって、引出の前面部分に光沢を持たせることができる。これにより、外観品質を高めることができる。
【００１８】
これに加えて、前記前板の裏面にリブを設けなければ、樹脂成型時のひけの形成を防止することができ、質感をさらに高めることができる。
【００１９】
また、前板の周縁部に裏面側に突出するフランジを形成することによって、前板を補強することができる。
【発明を実施するための最良の形態】
【００２０】
以下、本発明の一実施の形態を図に従って説明する。図１は、本実施の形態にかかるチェスト１を示す図であり、該チェスト１は、衣類や小物などを収納するものである。
【００２１】
このチェスト１は、外枠を形成する木製のチェスト本体１１と、該チェスト本体１１に設けられた三段の引出１２，・・・とによって構成されている。なお、前記チェスト本体１１の材料としては、天然木、ＭＤＦ、パーチクルボード等の加工木材が挙げられる。
【００２２】
前記チェスト本体１１は、図１及び図２に示すように、脚部２１，・・・が設けられた底板部２２と、該底板部２２の両側部に立設された側板部２３，２３と、前記底板部２２の奥側に立設された背板部２４と、前記側板部２３，２３及び前記背板部２４の上端に設けられた天板部２５とによって縦長の矩形状に形成されている。このチェスト本体１１に設けられた図外の前方開口部には、三つの前記引出１２，・・・が引き出し自在に収容されており、この引出１２内に衣類や小物などの物品を収容して収納できるように構成されている。
【００２３】
前記引出１２は、図３及び図４にも示すように、矩形容器状に形成された引出本体３１と、図１及び図５に示すように、該引出本体３１の前面部分に取り付けられる前板３２とによって構成されており、前記引出本体３１及び前記前板３２は、半透明に形成され内部が確認できるように構成されている。
【００２４】
なお、前記前板３２及び引出本体３１は、半透明のみならず、透明に形成したり、不透明に形成しても良く、不透明の場合には、着色することもできる。このとき、前記前板３２及び前記引出本体３１は、別体で構成されているため、前記前板３２と前記引出本体３１とを同色に設定したり、異なる色に設定することができる。これにより、外観品質を高めることができるとともに、バリエーションの増大を図ることができる。
【００２５】
さらに、前記前板３２を、光沢のマーブル調やハイグロス調にすることで、高級感を得ることができる。
【００２６】
前記前板３２は、前記引出本体３１より硬質の部材で形成されており、肉厚が２．３ｍｍ〜２．７ｍｍの間、好ましくは、２．５ｍｍに設定されている。具体的に説明すると、前記引出本体３１は、ＰＰ（ポリプロピレン）で形成されており、前記前板３２は、ＡＢＳ樹脂で形成されている。なお、本実施の形態では、前板３２をＡＢＳ樹脂で形成する場合を例に挙げて説明したが、これに限定されるものでは無く、ポリカーボネートやアクリル樹脂で形成しても良い。これにより、前記前板３２は、前記引出本体３１より硬質樹脂で形成されている。
【００２７】
また、この前板３２の周縁部には、図６に示すように、裏面側へ突出するフランジ４１が形成され補強されているが、当該前板３２の裏面４２には、リブ等の突出物が一切設定されていない。
【００２８】
そして、この前板３２の幅寸法Ｈ１は、図３及び図５に示すように、前記引出本体３１の前面部分において、最も幅広となる上部における幅寸法Ｈ２より大きく設定されている。これにより、図１に示したように、各引出１２，・・・の前板３２，・・・が、当該チェスト１の前面を形成するように構成されている。また、前記前板３２が前記チェスト本体１１の側板部２３，２３に当接するが、前板３２は硬質な部材で形成されているため、変形を防止することができる。
【００２９】
前記前板３２の上部には、図５及び図６に示すように、弓形状の凹部５１が形成されており、該凹部５１の上部には、引き出し時に操作される取っ手５２が取り付けられている。
【００３０】
すなわち、前記引出本体３１は、図３及び図４に示すように、長方形状の底面６１と、該底面６１の前縁より起立した前面６２と、前記底面６１の両側縁より起立した側面６３，６３と、前記底面６１の後縁より起立した背面６４とによって上方開口状に形成されており、前記前面６２の上部には、図３に示したように、上方へ向けて延出した前板取付面６５が一体形成されている。この前板取付面６５の上部には、ねじ穴６６，６６が二箇所に設けられており、各ねじ穴６６，６６の外周部には、前面６２側へ突出するリング状の凸部６７，６７が形成されている。これらの凸部６７，６７に対応した前記前板３２の裏面には、図６に示したように、前記凸部６７，６７が挿入される横溝６８が設けられており、前板３２取付時の位置ズレを防止できるように構成されている。
【００３１】
また、前記前板３２に形成された前記横溝６８の裏面には、円柱状の柱３２ａが設けられており、該柱３２ａは、引出本体３１に当接するように構成されている。前記横溝６８の上部には、段３２ｂが形成されており、取っ手５２の上縁を載置できるように構成されている。
【００３２】
前記各ねじ穴６６，６６には、タッピンネジ７１が挿入されるように構成されており、該タッピンネジ７１は、前記前板３２を挿通した後、前記取っ手５２に螺入されている。これにより、該取っ手５２と前記前板３２とは、前記引出本体３１に共締めされている。
【００３３】
この引出本体３１の側面６３，６３上部は、図３に示したように、側方へ膨出形成されており、前記両側面６３，６３には、段部８１，８１が形成されている。また、前記側面６３，６３には、図４に示したように、Ｔ字状の突出部８２，８２が前記段部８１に設けられた樹脂成型用の穴８１ａの下部に設けられており、この突出部８２は、前記段部８１とほぼ平行に形成された支持面８３と、該支持面８３より下方へ延出する下リブ８４とによって構成されている。
【００３４】
これにより、前記支持面８３と前記段部８１との間には、金属製の引出側レール８５（図６参照）を差し込んで取り付ける為のレール取付部８６が形成されており、該レール取付部８６に取り付けられた引出側レール８５を、前記チェスト本体３１の側板２３，２３の内側面に設けられた図外の固定レールに移動自在に支持することで、当該引出１２を前記チェスト本体１１に対してスライド自在に支持できるように構成されている。
【００３５】
そして、前面側に設けられた前記穴８１ａは、前面６２より後側へ離れた位置に設けられており、この穴８１ａの前側には、上方へ切り立った補強壁８１ｂが形成されている。これにより、当該引出本体３１の前部が補強されている。
【００３６】
前記支持面８３には、図８に示すように、先端へ向かうに従って下方へ傾斜する傾斜面９１が形成されており、前記レール取付部８６への前記引出側レール８５の挿入を容易に行えるように構成されている。
【００３７】
以上の構成にかかる本実施の形態において、矩形容器状の引出本体３１の前面６２には、該引出本体３１より硬質の樹脂からなる前板３２が設けられている。このため、前記引出本体３１及び前板３２からなる引出１２を、全体的に肉厚に形成すること無く、剛性を高めることができる。これにより、部材費を削減することができ、低コスト化を図ることができる。
【００３８】
また、前記引出本体３１の少なくとも一辺に前記前板３２を固定することで、前記引出本体３１に生じた歪みを補正することができる。
【００３９】
さらに、前記引出本体３１にレール８５を固定することで、三辺を補強することができる。
【００４０】
また、硬質の樹脂で前記前板３２を形成することによって、前記引出１２の前面部分に光沢を持たせることができる。これにより、外観品質を高めることができる。
【００４１】
そして、この前板３２の裏面４２には、リブ等の突出物が一切設定されていない。このため、樹脂成型時のひけの形成を防止することができ、表面の質感をさらに高めることができる。
【００４２】
また、前記前板３２の幅寸法Ｈ１は、前記引出本体３１の前面６２における幅寸法Ｈ２より大きく設定されているため、図１に示したように、各引出１２，・・・の前板３２，・・・によって当該チェスト１の前面を形成することができる。
【００４３】
これにより、当該チェスト１前部の外観品質を高めることができる。
【図面の簡単な説明】
【００４４】
【図１】本発明の一実施の形態を示す正面図である。
【図２】同実施の形態の側面図である。
【図３】同実施の形態の引出本体を一部断面図である。
【図４】同実施の形態の引出本体を示す側面図である。
【図５】同実施の形態の前板を示す正面図である。
【図６】同実施の形態の要部を示す断面図である。
【図７】同実施の形態の前板の要部断面図である。
【図８】図４のＡ−Ａ線に沿った断面図である。
【符号の説明】
【００４５】
１    チェスト
１１    チェスト本体
１２    引出
３１    引出本体
３２    前板
【図１】
2008029875.tif 000003
【図２】
2008029875.tif 000004
【図３】
2008029875.tif 000005
【図４】
2008029875.tif 000006
【図５】
2008029875.tif 000007
【図６】
2008029875.tif 000008
【図７】
2008029875.tif 000009
【図８】
2008029875.tif 000010